(57)【要約】  【課題】  フィルタで捕捉した埃を洗浄液で流せるようにしたフィルタの洗浄機能を有する空気調和機を提供する。  【解決手段】  吸込口１と吹出口２とを結ぶ空気通路にフィルタｆと熱交換器３と送風ファン４とを備え、前記フィルタｆおよび前記熱交換器３の下方にドレンパン７を備えるとともに、前記フィルタｆの上端部に洗浄液を流出する流出孔を有する洗浄液ダクト５を備え、同洗浄液ダクト５に、前記フィルタｆに前記洗浄液を誘導する誘導部材６を備えるとともに、前記フィルタｆは風上側の面を平坦状に形成し、親水加工が施され、触媒を担持し、フィルタネット部を形成する横糸は、縦糸に対し４５°以下の傾斜角を有する構成にした。【選択図】  図１
2010270960.tif 000002
【特許請求の範囲】
【請求項１】
吸込口と吹出口とを結ぶ空気通路にフィルタと熱交換器と送風ファンとを備え、前記フィルタおよび前記熱交換器の下方にドレンパンを備えるとともに、前記フィルタ上端部に洗浄液を流出する流出孔を有する洗浄液ダクトを備え、同洗浄液ダクトに、前記フィルタに前記洗浄液を誘導する誘導部材を備えてなることを特徴とする空気調和機。
【請求項２】
前記フィルタは風上側の面を平坦状に形成したことを特徴とする請求項１に記載の空気調和機。
【請求項３】
前記フィルタは親水加工が施されたことを特徴とする請求項１に記載の空気調和機。
【請求項４】
前記フィルタは触媒を担持したことを特徴とする請求項１に記載の空気調和機。
【請求項５】
前記フィルタは枠部およびフィルタネット部からなり、同フィルタネット部を形成する横糸は、縦糸に対し４５°以下の傾斜角を有してなることを特徴とする請求項１乃至請求項４の何れかに記載の空気調和機。
【発明の詳細な説明】
【技術分野】
【０００１】
本発明は、空気清浄機能および内部清掃機能を有する空気調和機に関する。
【背景技術】
【０００２】
従来の空気清浄機能および内部清掃機能を有する空気調和機においては、空気調和機の運転を中断することなく、フィルタに付着した埃を自動的に除去することができるものとして、図４に示すように、本体ケースａと、その内部に配設された熱交換器ｂと、内部ダクトｃと、送風機ｄと、埃を捕捉するフィルタｅと、フィルタｅを所定の第一角度位置と第二角度位置との間で揺動させるように構成されたフィルタ移動手段ｆとを具備し、フィルタｅは、第一面ｇと該第一面ｇの反対側の第二面ｈとを有し、フィルタｅが第一角度位置に配置されたとき、フィルタｅの第一面ｇが空気流の圧力を受け、フィルタｅが第二角度位置に配置されたとき、フィルタｅの第二面ｈが空気流の圧力を受けてフィルタｅに付着していた埃が空気流により除去されるようにしたものが知られている（例えば、特許文献１）。
【０００３】
これにより、運転を中断することなく、フィルタｅに付着した埃を自動的に除去することができるので、室内の快適な空気調和を損ねないように、空気調和機の連続的な運転を実現できるようにしていた。
【０００４】
しかしながら、フィルタｅに付着した埃を自動的に除去する構成であって、内部ダクトｃや、フィルタｅを所定の第一角度位置と第二角度位置との間で揺動させるように構成されたフィルタ移動手段ｆを具備したものであり、フィルタｅに付着していた埃が空気流圧力を受けて除去されることから、フィルタｅから剥離した埃の一部が、本体ケースａ内や内部ダクトｃの内部に飛散して送風機ｄに向かってしまう恐れがあった。
【０００５】
また、図示はしないが、空気調和機の空気吸い込み側から洗浄剤（液）を噴射して、該洗浄剤（液）が吸い込まれる空気流とともに空気調和機内部の空気流過通路を流されることにより、熱交換器だけでなく空気流過通路も洗浄できるようにしたものが知られている（例えば、特許文献２）。
【０００６】
しかしながら、空気吸い込み側から洗浄剤（液）を噴射するものであるが、フィルタに洗浄剤（液）を噴射してこれを洗浄できるようにしたものではなく、仮に、フィルタに洗浄剤（液）を噴射する構成を含んでいるとしても、そのために必要な構成として、フィルタから洗い流された汚れを洗浄剤（液）と一緒に排出する経路については何等考慮されていない。
【先行技術文献】
【特許文献】
【０００７】
【特許文献１】特開２００８−１９６７７３号公報
【特許文献２】特開平１１−９４４９３号公報
【発明の概要】
【発明が解決しようとする課題】
【０００８】
そこで、本発明は上述した課題を解決するためになされたものであって、その目的は、フィルタで捕捉した埃を洗浄液で洗い流せるようにしたフィルタの洗浄機能を有する空気調和機を提供することにある。
【課題を解決するための手段】
【０００９】
上述した目的を達成できるように構成するため、本発明は以下に示す特徴を備えている。
【００１０】
吸込口と吹出口とを結ぶ空気通路にフィルタと熱交換器と送風ファンとを備え、前記フィルタおよび前記熱交換器の下方にドレンパンを備えるとともに、前記フィルタ上端部に洗浄液を流出する流出孔を有する洗浄液ダクトを備え、同洗浄液ダクトに、前記フィルタに前記洗浄液を誘導する誘導部材を備えてなることを特徴としている。
【００１１】
前記フィルタは風上側の面を平坦状に形成したことを特徴としている。
【００１２】
前記フィルタは親水加工が施されたことを特徴としている。
【００１３】
前記フィルタは触媒を担持したことを特徴としている。
【００１４】
前記フィルタは枠部およびフィルタネット部からなり、同フィルタネット部を形成する横糸は、縦糸に対し４５°以下の傾斜角を有してなることを特徴としている。
【発明の効果】
【００１５】
本発明によれば、フィルタで捕捉した埃を洗浄液で洗い流せるようにしたフィルタの洗浄機能を有する空気調和機を提供できる。
【図面の簡単な説明】
【００１６】
【図１】本発明による空気清浄機能および内部清掃機能を有する空気調和機の説明図で、（Ａ）は断面図であり、（Ｂ）は要部拡大図である。
【図２】本発明による空気清浄機能および内部清掃機能を有する空気調和機の要部説明図で、（Ａ）は洗浄液ダクトを備えたフィルタの斜視図であり、（Ｂ）は洗浄液ダクトの内部構造を示す図である。
【図３】本発明による空気清浄機能および内部清掃機能を有する空気調和機の要部説明図で、（Ａ）はフィルタの正面図であり、（Ｂ）はフィルタネットの一例を示す拡大図であり、（Ｃ）はフィルタネットの他の例を示す拡大図である。
【図４】従来例による空気調和機の断面図である。
【発明を実施するための形態】
【００１７】
以下、本発明を実施するための形態を、添付図面に基づいた実施例として詳細に説明する。
【００１８】
本発明による空気調和機は、図１（Ａ）および図１（Ｂ）と、図２（Ａ）および図２（Ｂ）とに示すように、吸込口１と吹出口２とを結ぶ空気通路に、吸込口１から吸い込まれた空気中に含まれている埃を捕捉するフィルタｆと、薄板状の金属（アルミ）を等間隔で空気の流れ方向に略平行に並べた多数のフィン３ａと、この多数のフィン３ａに直交する伝熱管３ｂとからなる熱交換器３と、送風ファン４とを備えている。
【００１９】
フィルタｆは、枠部ｆ１と、この枠部ｆ１の内側に張設された縦糸ｆ３を含むフィルタネット部ｆ２とで構成されて、吸込口１に面するように挿脱可能に設けられている。
【００２０】
フィルタｆの下端部の下方および熱交換器３の下端部の下方にはドレンパン７が設けられており、このドレンパン７で、熱交換器３から流下する結露水を受けるとともに、後述する洗浄液ダクト５から流出し、フィルタｆの風上側表面に拡散しながら埃と一緒に流れ落ちる洗浄液を受けるようにしている。
【００２１】
ドレンパン７で受けた結露水や、埃と一緒に流れ落ちた洗浄液は、ドレンパン７に備えた図示しないドレンホースによって外部に排出されることになる。
【００２２】
吸込口１から吸い込まれた空気は、フィルタｆを通過して、このフィルタｆの下流側空気通路に設置されている多数のフィン３ａと伝熱管３ｂとからなる熱交換器３に向かって流れ、この熱交換器３で伝熱管３ｂを流れる冷媒と熱交換されたのち、送風ファン４を経て、吹出口２から室内に吹き出される。
【００２３】
吸込口１から吸い込まれた空気がフィルタｆを通過した際、フィルタｆで僅かに捕捉しきれなかった微細な埃は、このフィルタｆの下流側となる空気通路に設置されている熱交換器３に付着することになるが、冷房運転時や除湿運転時には熱交換器３の表面に生じる結露水と一緒に流れ落ちて、熱交換器３の下端部の下部に備えたドレンパン７から、図示しないドレンホースによって外部に排出されることになる。
【００２４】
なお、吸込口１から吸い込まれた空気がフィルタｆを通過した際、フィルタｆは、吸込口１から吸い込まれた空気中に含まれている殆どの埃を捕捉することによって、フィルタｆの下流側となる空気通路の壁面や、熱交換器３や、送風ファン４の表面などに汚れとして埃が付着することを防ぐことができるようになり、埃を含んでいない衛生的な空気を吹出口２から室内に吹き出せるようになる。
【００２５】
フィルタｆの上端部近傍には、フィルタｆで捕捉した埃をドレンパン７内に洗い流すため、図１（Ａ）および図１（Ｂ）と、図２（Ａ）および図２（Ｂ）とに示すように、空気調和機の運転中に、フィルタｆの上端部後方の風上側に洗浄液を流出する洗浄液ダクト５を備えている。
【００２６】
洗浄液ダクト５は、洗浄液を流出する複数の流出孔５ａを有してフィルタｆの幅方向に沿うように設けられており、空気調和機の運転中、複数の流出孔５ａから、フィルタｆの上端部後方の全幅にわたって洗浄液を均等に流出できるようにしているので、フィルタｆに埃が付着してしまうことを防いで洗い流せるようになる。
【００２７】
また、フィルタｆの上端部後方の風上側に、洗浄液ダクト５から、空気調和機の運転中に常時洗浄液を流出させることで、フィルタｆに埃が付着しにくくすることもできるようになる。
【００２８】
これにより、空気調和機の運転中に、枠部ｆ１およびフィルタネット部ｆ２からなるフィルタｆの上端部に流出した洗浄液は、フィルタｆの上端部以外における枠部ｆ１およびフィルタネット部ｆ２を含む表面全域に行き渡るように拡散しながら流下することになる。
【００２９】
洗浄液は、例えばオゾン水のような除菌や脱臭などに高い効果を有する機能水を用いることで、フィルタｆの風上側で捕捉した埃を洗い流し、フィルタｆの表面を清潔にして、フィルタｆを通過し熱交換器３で熱交換された綺麗な調和空気を、送風ファン４を経て吹出口２に送出し、吹出口２から被空調室に吹き出すことができるようになる。
【００３０】
または、洗浄液としてオゾン水の他に、電解水あるいは抗菌剤を溶解させた薬液等のような機能水を用いることで、フィルタｆで捕捉した埃を分解・剥離して洗い流すようにしてもよい。
【００３１】
その際、フィルタｆの表面に埃が付着するのを防ぐことにより、フィルタｆを通過する空気流の抵抗が増加しないようになり、フィルタｆの下流側には、フィルタｆの通過時に除菌・脱臭された綺麗な空気が流れることから、熱交換器３や、送風ファン４や、吹出口２に到る空気通路の壁面などを汚すことがなく、吹出口２から室内に吹き出される調和空気には雑菌や悪臭がなくなって快適な空気調和を実現できる。
【００３２】
また、洗浄液ダクト５には、フィルタｆに対向して、洗浄液ダクト５の長手方向に沿うように多数の誘導部材６を備えており、複数の流出孔５ａから流出した洗浄液は多数の誘導部材６に導かれることよって、洗浄液が飛散してしまうことがなく、フィルタｆの風上側に円滑に誘導されるようになる。
【００３３】
誘導部材６は、例えば、柔軟性を有する多数の紐状の部材もしくは多数のブラシ状の部材などであって、図２（Ｂ）に示すように、複数の流出孔５ａの近傍に基端部が植設されるとともに、先端部がフィルタｆに接触するように構成されており、これによって、洗浄液ダクト５とフィルタｆの上端部後方とに多少の位置ズレが生じたとしても、複数の流出孔５ａから流出した洗浄液は、誘導部材６の先端部が接触しているフィルタｆの上端部後方の風上側に正確に誘導されるようになる。
【００３４】
これにより、複数の流出孔５ａから流出した洗浄液は飛散することなく円滑に、かつ万遍なくフィルタｆの上端部全域に誘導され、フィルタｆ全域の風上側表面に拡散して流下しながら埃を洗い流し、ドレンパン７に流入したのち図示しないドレンホースで外部に排出されることになる。
【００３５】
なお、フィルタｆの風上側表面から埃を洗い流す際、フィルタｆの風上側の面を平坦状に形成したことにより、洗い流される埃が引っ掛かかることがない。
【００３６】
なお、誘導部材６の先端部は、必ずしもフィルタｆに接触するように構成されるのではなく、フィルタｆの上端部後方の表面に近接させた構成にすることで、複数の流出孔５ａから流出した洗浄液をフィルタｆの上端部全域に誘導できるようにしてもよい。
【００３７】
その際、フィルタｆは親水性を持たせておくことで、フィルタｆの上端部に万遍なく誘導された洗浄液をフィルタｆ全域の表面に拡散させながら流下させることができるようになり、表面に捕捉されている埃の下に水の膜が入り込み、埃を浮かして洗い流す効果を発現できるようになる。
【００３８】
また、フィルタｆは、図３（Ａ）乃至図３（Ｃ）に示すように、フィルタｆを構成しているフィルタネット部ｆ２を形成する横糸（傾斜糸）は、埃を浮かした洗浄液がこの横糸（傾斜糸）に沿って流下しやすいように、縦糸ｆ３（または縦の仮想線）に対し、４５°よりも小さい傾斜角θを有した構成になっている。
【００３９】
フィルタネット部ｆ２を形成する横糸（傾斜糸）は、縦糸ｆ３（または縦の仮想線）に対し、４５°よりも大きいほど横糸（傾斜糸）から洗浄液の一部が滴下する恐れが生じるが、４５°以下の傾斜角θを有したことで、このように滴下することを防げるようになる。
【００４０】
これにより、フィルタｆの上端部後方に万遍なく誘導された洗浄液は、フィルタネット部ｆ２を含むフィルタｆ全域の表面に拡散させることができるようになり、かつ円滑に流下させることができるようになって、表面に捕捉されている埃の下に水の膜が入り込み、埃を浮かして洗い流す効果を発現しやすくなる。
【００４１】
複数の流出孔５ａから流出される洗浄液の流出量は、吸込口１から吸い込まれた空気中に含まれる埃の量、風量、湿度あるいはフィルタｆの大きさなどに対応して、図示はしないが、洗浄液ダクト５（の根元）に設けられた出水弁を開閉することによって調整できるようにしてもよい。
【００４２】
また、フィルタｆは、例えば、光触媒（二酸化チタン）からなる触媒を表面に担持するとともに、光触媒（二酸化チタン）に紫外線を照射する光源を設置することで、フィルタｆの表面の汚れを分解できるようにしてもよい。
【００４３】
光触媒（二酸化チタン）からなる触媒の活性エネルギ源としては、紫外線が照射されることに限らず、例えば、洗浄液として用いられるオゾン水も活性のためのエネルギ源になることから、フィルタｆの表面に捕捉された埃は更に効果的に分解できるようになる。
【００４４】
以上説明したように、本発明の構成によれば、フィルタｆの上端部後方の風上側に洗浄液を流出する洗浄液ダクト５を備え、この洗浄液ダクト５の流出孔５ａの近傍に、フィルタｆに洗浄液を誘導する多数の誘導部材６を備えたので、洗浄液を飛散させることなくフィルタｆの上端部の風上側に誘導できる。
【００４５】
これにより、フィルタｆの表面全域に行き渡らせた洗浄液で、捕捉している埃を綺麗に洗い流せるようになる。
【符号の説明】
【００４６】
１  吸込口
２  吹出口
３  熱交換器
３ａ  フィン
３ｂ  伝熱管
４  送風ファン
５  洗浄液ダクト
５ａ  流出孔
６  誘導部材
７  ドレンパン
ｆ  フィルタ
ｆ１  枠部
ｆ２  フィルタネット部
ｆ３  縦糸
【図１】
2010270960.tif 000003
【図２】
2010270960.tif 000004
【図３】
2010270960.tif 000005
【図４】
2010270960.tif 000006